(57)【要約】【課題】従来と同じ材料を使用して機械的強度を大幅に改善する、無線通信機器等の機器用筺体を提供する。【解決手段】機器用筺体は、底板、天（上）板および４側板を有する実質的に直方体であり、底板２０は、端縁に折曲部２２が形成されたプレート２１およびこのプレート２１の底面の任意位置に被着形成された任意個数のステー２４により構成される。各ステー２４は、平坦な底面２４ａ、その両側から起立する起立部２４ｂおよび起立部２４ｂの上端から外方向へ水平に延びる基部２４ｃを含む略「ひ」字状の断面を有する。【選択図】図１
2005050991.tif 000002
【特許請求の範囲】
【請求項１】
内部に比較的重量の大きいユニット等を実装する無線通信機器等の略直方体の機器用筺体において、
底板として略平坦なプレートおよび該プレートの底面に被着された少なくとも１個のステーを備え、該各ステーは略「ひ」字状の断面形状を有することを特徴とする機器用筺体。
【請求項２】
前記底板のプレートの端縁には、下向きの折曲部を設け、前記ステーの高さを前記折曲部の高さと実質的に等しくすることを特徴とする請求項１に記載の機器用筺体。
【請求項３】
前記各ステーは、前記プレートと同様の金属材料で形成されることを特徴とする請求項１又は２に記載の機器用筺体。
【請求項４】
前記各ステーは、略平坦な底部、該底部の両端縁から略直角に起立する起立部および該起立部の上端から外方向へ延びる基部を有することを特徴とする請求項１、２又は３に記載の機器用筺体。
【請求項５】
前記各ステーの前記基部は、前記プレートに溶接等により固定されることを特徴とする請求項４に記載の機器用筺体。
【発明の詳細な説明】
【技術分野】
【０００１】
本発明は機器筺体に関し、特に屋内設置又は可搬型無線通信機器等の電子機器の筺体構造に関する。
【背景技術】
【０００２】
無線通信機器等の電子機器は、一般にアルミニウム等の金属板製の６面体、即ち底面、上面、前面、背面および左右側面を有する略直方体の機器筺体内に取り付けられた回路基板に電子回路を形成することにより構成される。また、機器筺体内部には、一般に比較的重い構成部品等も配置される。更に、スイッチ等の制御部やコネクタ等の接続部が機器筺体の正面又は背面等に配置される場合もある。
【０００３】
一般的な電子機器筺体の従来例は、例えば図３に斜視図で示す。図３において、機器筺体１０は、比較的低背の直方体であり、略正方形の底板２０および天板３０と４側板４０ａ〜４０ｄにより構成される。図３中には図示しないが、機器筺体１０の内部には、機器内部で発生する発熱を効果的に外部へ放熱するために、１個以上の換気用ファン等が配置され、機器筺体１０の天板３０および側板４０の一部又は全部に複数の開口が形成されている。
【０００４】
ここで、底板２０は、上述した回路基板や換気用ファン等が搭載されるので、その重量を支える十分な強度を有することが必要である。そのために、底板２０は、例えば図４に示す如く、所定厚さのプレート２１、このプレート２１の両端にプレート２１の面に対して略直角に折り曲げ形成された折り曲げ部２２およびプレート２１の底面の所定位置に配置形成された複数のステー２３を有する。
【０００５】
各ステー２３は、底板に対して開いた形状である。即ち、プレート２１の底面に、例えばスポット溶接等により被着固定される基部２３ａおよびその両端から略直角に起立する脚部２３ｂより構成される略コ又は倒立したＵ字状である。そして、各ステー２３の脚部２３ｂの先端とプレート２１の両端の折り曲げ部２２の先端とは、実質的に同一面となるように、各ステー２３の寸法が選定されている。斯かる構成の底板２０を使用することにより、機器筺体１０を平坦面上に配置した際に、プレート２１上に搭載される部品等の重量をステー２３により分担することによりプレート２０の補強が可能である。
【０００６】
図４に示す如き構成のステー２３を図５に拡大して示す。各ステー２３の基部２３ａの幅および高さを、図５に示す如く設定すると、ステー２３の機械的強度は、その断面二次モーメント（Ｉａ）に依存する。そして、図４および図５に示す如きステー２３の断面二次モーメント（Ｉａ）は、次式（１）で与えられる。
Ｉａ＝（Ｂ１ｅ１3−ｂ１ｈ13＋ａ1ｅ23）／３・・・・・（１）
また、ｅ１は、次式（２）で決定される。
ｅ１＝（ａ1Ｈ1２＋ｂ1ｔ2）／２（ａ1Ｈ１＋ｂ１ｔ）・・・（２）
【０００７】
上述の如く比較的重量の大きいユニットを収容する従来の電子装置用筺体は開示されている（例えば、特許文献１参照。）。
【特許文献１】特開昭６３−１８４３９５号公報（第１−２頁、第５図）
【発明の開示】
【発明が解決しようとする課題】
【０００８】
しかし、図３〜図５を参照して上述する如き従来の機器用筺体は、機械的強度が十分でない。重いユニット等を収容または実装する場合には、ステーの個数を増加するか底板の高さを増加して機械的強度を上げる必要がある。その場合には、筺体の内容積が減少するという課題を生じる。
【０００９】
本発明は、従来技術の上述した課題乃至欠点に鑑みなされたものであり、底板の高さを増加することなく又は筺体の内容積を減少させることなく、機械的強度を増加する機器用筺体を提供することを目的とする。
【課題を解決するための手段】
【００１０】
前述の課題を解決するため、本発明による機器用筺体は、次のような特徴的な構成を採用する。
【００１１】
（１）内部に比較的重量の大きいユニット等を実装する無線通信機器等の略直方体の機器用筺体において、
底板として略平坦なプレートおよび該プレートの底面に被着された少なくとも１個のステーを備え、該各ステーは略「ひ」字状の断面形状を有する機器用筺体。
【００１２】
（２）前記底板のプレートの端縁には、下向きの折曲部を設け、前記ステーの高さを前記折曲部の高さと実質的に等しくする上記（１）の機器用筺体。
【００１３】
（３）前記各ステーは、前記プレートと同様の金属材料で形成されることを特徴とする請求項１又は２に記載の機器用筺体。
【００１４】
（４）前記各ステーは、略平坦な底部、該底部の両端縁から略直角に起立する起立部および該起立部の上端から外方向へ延びる基部を有する上記（１）、（２）又は（３）の機器用筺体。
【００１５】
（５）前記各ステーの前記基部は、前記プレートに溶接等により固定される上記（４）の機器用筺体。
【発明の効果】
【００１６】
本発明の機器用筺体によると、次の如き実用上の顕著な効果が得られる。即ち、底板の高さや材料および寸法を従来のものと変更することなく、また筺体の内容積を減少することなく、機械的強度を大幅に増加することが可能である。換言すると、重量の大きいユニット等を搭載することが可能である。従って、無線通信機器の如く、比較的重量の大きいユニットを実装又は収容する機器用筺体に好適である。
【実施例１】
【００１７】
以下、本発明による機器用筺体の好適実施形態の構成および作用を、添付図面を参照して詳細に説明する。尚、上述した従来技術と対応する構成要素には、説明の便宜上、同様の参照符号を使用することとする。
【００１８】
図１は、本発明による機器用筺体の好適実施形態の主要部である底板２０の断面図を示す。この底板２０は、例えばアルミニウム等の金属板により形成された略平坦なプレート２１を有する。このプレート２１の端縁は、プレート２１の面に対して下方へ略直角に折り曲げられた所定寸法の折曲部２２を有する。そして、プレート２１の下面には、複数のステー２４が、例えばスポット溶接等により被着されている。
【００１９】
図１に示す特定の実施形態では、２本のステー２４が図示されているが、ステー２４の個数は特に限定されるものではなく、必要とする機械的強度に応じて、任意本数のステー２４を任意位置に被着形成するものとする。
【００２０】
本発明の各ステー２４は、好ましくはプレート２１と同様の金属材料にて形成される。各ステー２４は、その断面が略平坦な底部２４ａ、その両縁から起立する起立部２４ｂおよびこれら起立部２４ｂから外方向へ水平に延びる基部２４ｃよりなる断面形状を有する。換言すると、各ステー２４の断面形状は、略「ひ」字状である。各ステー２４の起立部２４ｂの高さは、底面２４ａがプレート２１の折曲部２２の高さと実質的に等しくなるように選択される。
【００２１】
図２は、図１に示す本発明による機器用筺体の底板２０の各ステー２４の拡大断面図である。図２中には、各ステー２４の底部２４ａ、起立部２４ｂおよび基部２４ｃの幅および高さ等の寸法も図示している。
【００２２】
図２に示すステー２４の機械的強度を示す断面二次モーメント（Ｉｂ）は、次式（３）にて与えられる。
Ｉｂ＝（Ｂ2Ｈ２３−ｂ２ｈ２３）／１２・・・・（３）
【００２３】
ここで、上述した式（３）および（１）を比較する。プレート２１およびステー２３、２４の材質、Ｂ寸法およびＨ寸法が同じであると仮定すると、本発明による機器用筺体の機械的強度は、従来の倒立したＵ字状のステー２３に対して約１．８倍である。
【００２４】
以上、本発明による機器用筺体の好適実施形態の構成および作用について詳述した。しかし、斯かる実施形態は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【図面の簡単な説明】
【００２５】
【図１】本発明による機器用筺体の好適実施形態の底板の断面図である。
【図２】図１に示すステー部の拡大図である。
【図３】従来の機器用筺体の概略外観を示す斜視図である。
【図４】図３に示す機器用筺体の底板の断面図である。
【図５】図４の底板のステー部の拡大図である。
【符号の説明】
【００２６】
１０  機器用筺体
２０  底板
２１  プレート
２２  折曲部
２４  ステー
２４ａ  底面
２４ｂ  起立部
２４ｃ  基部
【図１】
2005050991.tif 000003
【図２】
2005050991.tif 000004
【図３】
2005050991.tif 000005
【図４】
2005050991.tif 000006
【図５】
2005050991.tif 000007